(57)【要約】      （修正有）【課題】電源がオフの状態のときでも、ＨＤＭＩ信号が入力されると、予め設定された出力先へＨＤＭＩ信号に含まれるオーディオ信号を出力することができる信号出力装置を提供する。【解決手段】デジタル信号を送受信するデジタルインターフェイスと、デジタルインターフェイスに入力されるデジタル信号を検出する入力検出部を備え、信号出力装置の電源がオフの間に入力検出部がデジタル信号の入力を検出すると、デジタルインターフェイスから入力されたデジタル信号を前記デジタルインターフェイスに接続された表示装置に出力する。【選択図】図１
2008125030.tif 000002
【特許請求の範囲】
【請求項１】
表示装置およびスピーカーシステムに接続された信号出力装置において、
デジタル信号を送受信するデジタルインターフェイスと、
前記デジタルインターフェイスに入力されるデジタル信号を検出する入力検出部を備え、
前記信号出力装置の電源がオフの間に前記入力検出部がデジタル信号の入力を検出すると、前記デジタルインターフェイスから入力されたデジタル信号を前記デジタルインターフェイスに接続された前記表示装置に出力することを特徴とする信号出力装置。
【請求項２】
表示装置およびスピーカーシステムに接続された信号出力装置において、
デジタル信号を送受信するデジタルインターフェイスと、
前記デジタルインターフェイスに入力されるデジタル信号を検出する入力検出部と、
前記デジタルインターフェイスから入力されたデジタル信号をオーディオ信号にデコードするデコード部と、
前記スピーカーシステムを接続するスピーカー接続部とを備え、
前記信号出力装置の電源がオフの間に前記入力検出部がデジタル信号の入力を検出すると、前記信号出力装置の電源がオフからオンになり前記デコード部によりデコードされたオーディオ信号を前記スピーカ接続部に接続されたスピーカシステムから出力することを特徴とする信号出力装置。
【請求項３】
表示装置およびスピーカーシステムに接続された信号出力装置において、
デジタル信号を送受信するデジタルインターフェイスと、
前記デジタルインターフェイスに入力されるデジタル信号を検出する入力検出部と、
前記デジタルインターフェイスから入力されたデジタル信号をオーディオ信号にデコードするデコード部と、
前記信号出力装置の電源のオンオフを管理する電源管理部と、
前記信号出力装置の電源がオフのときに前記デジタルインターフェイスに入力されるデジタル信号の出力先を設定する出力先設定部と、
前記出力設定部によりデジタル信号の出力先が前記デジタルインターフェイスに接続された前記表示装置に設定され、前記信号出力装置の電源がオフの間に前記入力検出部がデジタル信号の入力を検出すると、前記デジタルインターフェイスから入力されるデジタル信号の出力先を前記表示装置にする制御をする制御部とを備えることを特徴とする信号出力装置。
【請求項４】
請求項３に記載された信号出力装置において、
前記制御部は、前記出力設定部によりデジタル信号の出力先がスピーカーシステムに設定され、前記信号出力装置の電源がオフ間に前記入力検出部がデジタル信号の入力を検出すると、前記電源管理部に前記信号出力装置の電源をオフからオンにさせる制御をし、前記デコード部によりデコードされたオーディオ信号の出力先を前記スピーカーシステムにする制御をすることを特徴とする信号出力装置。
【発明の詳細な説明】
【技術分野】
【０００１】
本発明は、ＨＤＭＩ（High-Definition Multimedia Interface）インターフェイスを備えた信号出力装置に関する。特に、ＨＤＭＩインターフェイスから入力されたＨＤＭＩ信号に含まれるオーディオ信号の出力に関する。
【背景技術】
【０００２】
デジタルビデオ信号やデジタルオーディオ信号を伝送するためのインターフェイスとして、デジタルビデオ信号およびデジタルオーディオ信号を１本のケーブルで伝送することができるＨＤＭＩインターフェイスがある。ＨＤＭＩインターフェイスは、デジタルビデオ信号にデジタルオーディオ信号が重畳されたＨＤＭＩ信号を伝送するため、伝送時に信号の劣化がなく高品質のデジタルビデオ信号およびデジタルオーディオ信号を伝送できることから、多種のＡＶ（Audio Visual）機器に備えられている（特許文献１参照）。
【０００３】
図３は、ＨＤＭＩインターフィスにより接続されたＡＶ機器を示す図である。
図３において、ＡＶアンプ１００は、ＤＶＤ（Digital Versatile Disc）プレーヤ２００、ＳＴＢ（Set Top Box）３００、テレビ４００とＨＤＭＩケーブルにより接続され、マルチチャンネルのスピーカシステム５００とスピーカーケーブルにより接続されている。ＤVＤプレーヤ２００やＳＴＢ３００は、ＨＤＭＩケーブルを介してＡＶアンプ１００にＨＤＭＩ信号を出力する。
【０００４】
図３に示すように、テレビ４００およびスピーカーシステム５００を接続したＡＶアンプ１００は、ＤＶＤプレーヤ２００やＳＴＢ３００から入力されたＨＤＭＩ信号をテレビ３００または入力されたＨＤＭＩ信号に含まれるオーディオ信号をスピーカーシステム５００に出力する。従来のＡＶアンプ１００は、入力されたＨＤＭＩ信号に含まれるオーディオ信号の出力先をテレビ３００またはスピーカーシステム５００に予め設定することができる。
【０００５】
ＨＤＭＩ信号に含まれるオーディオ信号の出力先がテレビ３００に設定されると、ＡＶアンプ１００は、ＤＶＤプレーヤ２００やＳＴＢ３００から入力されたＨＤＭＩ信号をＨＤＭＩ出力端子からテレビ３００へそのまま出力する。このとき、スピーカーシステム５００には、ＨＤＭＩ信号に含まれるオーディオ信号は出力されないようになっている。一方、ＨＤＭＩ信号に含まれるオーディオ信号の出力先がスピーカーシステム４００に設定されると、ＡＶアンプ１００は、ＨＤＭＩ入力端子から入力されたＨＤＭＩ信号をデコードして得られるオーディオ信号をスピーカー出力端子からスピーカーシステム４００へ出力する。このとき、テレビ４００には、ＨＤＭＩ信号に含まれるオーディオ信号は出力されないようになっている。
【０００６】
【特許文献１】特開２００５-５１５４７号公報
【発明の開示】
【発明が解決しようとする課題】
【０００７】
ＨＤＭＩ信号に含まれるオーディオ信号の出力先がテレビ３００に設定されている場合、ＡＶアンプ１００は、入力されたＨＤＭＩ信号に信号処理等をせず、入力されたＨＤＭＩ信号をそのままＨＤＭＩ出力端子からテレビ３００へ出力する。しかしながら、従来のＡＶアンプは、入力されたＨＤＭＩ信号に信号処理をする必要がないにもかかわらず、電源がオンの状態でないと、入力されたＨＤＭＩ信号をＨＤＭＩ出力端子からテレビ３００に出力しない。ＨＤＭＩ信号に含まれるオーディオ信号の出力先がスピーカーシステム４００に設定されている場合でも、同様にＡＶアンプ１００の電源がオンの状態でないと、入力されたＨＤＭＩ信号をスピーカーシステム４００に出力しない。
【０００８】
このため、ユーザは、図３に示すようにＨＤＭＩインターフィスにより接続されたＡＶ機器を使用するときには、必ずＡＶアンプ１００の電源をオンにしなければならない。特に、ＨＤＭＩ信号に含まれるオーディオ信号の出力先がテレビ３００に設定されている場合では、入力されたＨＤＭＩ信号をそのままＨＤＭＩ出力端子から出力するだけにもかかわらず、ＡＶアンプ１００の電源をオンにしなければならない。
【０００９】
本発明は、上記の課題を解決するためになされたものであり、電源がオフの状態のときでも、ＨＤＭＩ信号が入力されると、予め設定された出力先へＨＤＭＩ信号に含まれるオーディオ信号を出力することができる信号出力装置を提供することを特徴とする。
【課題を解決するための手段】
【００１０】
上記の課題を解決するために、本願の発明は、表示装置およびスピーカーシステムに接続された信号出力装置において、デジタル信号を送受信するデジタルインターフェイスと、前記デジタルインターフェイスに入力されるデジタル信号を検出する入力検出部を備え、前記信号出力装置の電源がオフの間に前記入力検出部がデジタル信号の入力を検出すると、前記デジタルインターフェイスから入力されたデジタル信号を前記デジタルインターフェイスに接続された前記表示装置に出力することを特徴とする。
【００１１】
また、本願の発明は、表示装置およびスピーカーシステムに接続された信号出力装置において、デジタル信号を送受信するデジタルインターフェイスと、前記デジタルインターフェイスに入力されるデジタル信号を検出する入力検出部と、前記デジタルインターフェイスから入力されたデジタル信号をオーディオ信号にデコードするデコード部と、前記スピーカーシステムを接続するスピーカー接続部とを備え、前記信号出力装置の電源がオフの間に前記入力検出部がデジタル信号の入力を検出すると、前記信号出力装置の電源がオフからオンになり前記デコード部によりデコードされたオーディオ信号を前記スピーカ接続部に接続されたスピーカシステムから出力することを特徴とする。
【００１２】
また、本願の発明は、表示装置およびスピーカーシステムに接続された信号出力装置において、デジタル信号を送受信するデジタルインターフェイスと、前記デジタルインターフェイスに入力されるデジタル信号を検出する入力検出部と、前記デジタルインターフェイスから入力されたデジタル信号をオーディオ信号にデコードするデコード部と、前記信号出力装置の電源のオンオフを管理する電源管理部と、前記信号出力装置の電源がオフのときに前記デジタルインターフェイスに入力されるデジタル信号の出力先を設定する出力先設定部と、前記出力設定部によりデジタル信号の出力先が前記デジタルインターフェイスに接続された前記表示装置に設定され、前記信号出力装置の電源がオフの間に前記入力検出部がデジタル信号の入力を検出すると、前記デジタルインターフェイスから入力されるデジタル信号の出力先を前記表示装置にする制御をする制御部とを備えることを特徴とする。
【００１３】
また、上記の信号出力装置において、請求項３に記載された信号出力装置において、前記制御部は、前記出力設定部によりデジタル信号の出力先がスピーカーシステムに設定され、前記信号出力装置の電源がオフ間に前記入力検出部がデジタル信号の入力を検出すると、前記電源管理部に前記信号出力装置の電源をオフからオンにさせる制御をし、前記デコード部によりデコードされたオーディオ信号の出力先を前記スピーカーシステムにする制御をすることを特徴とする。
【発明の効果】
【００１４】
本発明によれば、源がオフの状態のときでも、ＨＤＭＩ信号が入力されると、予め設定された出力先へオーディオ信号を出力することができる信号出力装置を提供することができる。
【発明を実施するための最良の形態】
【００１５】
以下、本発明の実施の形態について図面を参照して説明する。
図１は、本発明の一実施例である信号出力装置の構成を示すブロック図である。図１に示すように、本実施例の信号出力装置１は、ＨＤＭＩインターフェイス２と、ＨＤＭＩ入力部３と、ＨＤＭＩ受信部４と、ＨＤＭＩインターフェイス５と、ＨＤＭＩ送信部６と、ＨＤＭＩ出力部７と、デコード部８と、ＤＡＣ（Digital to Analog Converter）９と、増幅部１０と、スピーカー出力部１１と、制御部１２と、入力検出部１３と、出力先設定部１４と、電源管理部１５とを備える。本実施例では、信号出力装置１をＨＤＭＩインターフェースを備えたＡＶアンプとして説明する。
【００１６】
ＨＤＭＩインターフェイス２は、ＨＤＭＩ入力部３およびＨＤＭＩ受信部４を備えるデジタルインターフェイスである。ＨＤＭＩ入力部３は、ＨＤＭＩ信号を入力する複数のＨＤＭＩ入力端子を備え、ＤＶＤプレーヤやＳＴＢ等の外部機器からＨＤＭＩケーブルを介してＨＤＭＩ信号を入力する。ＨＤＭＩ受信部４は、ＨＤＭＩ入力部３から入力されたＨＤＭＩ信号を受信する。受信されたＨＤＭＩ信号は、ＨＤＭＩ送信部６またはデコード部８に入力される。また、ＨＤＭＩ受信部４は、制御部１２の制御により、ＨＤＭＩ入力部３に接続された外部機器との間で制御信号の双方向通信をする。
【００１７】
ＨＤＭＩインターフェイス５は、ＨＤＭＩ送信部６およびＨＤＭＩ出力部７を備えるデジタルインターフェイスである。ＨＤＭＩ送信部６は、ＨＤＭＩ受信部４から入力されたＨＤＭＩ信号をＨＤＭＩ出力部７に出力する。また、ＨＤＭＩ送信部６は、制御部１２の制御により、ＨＤＭＩ出力部７に接続されたテレビ等の表示装置との間で制御信号の双方向通信をする。ＨＤＭＩ出力部７は、ＨＤＭＩ信号を出力する出力端子を備え、ＨＤＭＩ送信部６から入力されたＨＤＭＩ信号をＨＤＭＩ出力端子からＨＤＭＩケーブルを介して接続されたテレビ等の表示装置に出力する。
【００１８】
デコード部８は、入力されたＨＤＭＩ信号をデジタルビデオ信号やデジタルオーディオ信号にデコードする信号処理をする。デコード部８は、ＤＳＰ（Digital Signal Processor）から構成され、デコード処理の他にデジタルオーディ信号にサラウンド効果処理等の信号処理をする。デコードされたデジタルオーディオ信号は、制御部１２の制御によりＤＡＣ９に入力される。また、デコードされたデジタルビデオ信号は、制御部１２の制御によりアナログ信号に変換された後、図示しないビデオ出力端子から出力される。
【００１９】
ＤＡＣ９は、デコード部８から入力されたデジタルオーディオ信号をアナログオーディオ信号に変換し、変換したアナログオーディオ信号を増幅部１０へ出力する。増幅部１０は、入力されたアナログオーディオ信号を増幅し、増幅したアナログオーディオ信号をスピーカー接続部１１へ出力する。スピーカー接続部１１は、例えば５．１チャンネルのスピーカーシステムを接続する出力端子を備え、入力されたアナログオーディオ信号をチャンネル毎に出力端子から出力する。
【００２０】
制御部１２は、本実施例の信号出力装置１を構成するＨＤＭＩインターフェイス２，５やデコード部８などの構成部を統括して制御する。入力検出部１３は、ＨＤＭＩインターフェイス２に入力されたＨＤＭＩ信号を検出する。入力検出部１３は、ＨＤＭＩ信号の入力を検出すると、制御部１２に検出信号を出力する。
【００２１】
出力先設定部１４は、信号出力装置１の電源がオフのときに入力されたＨＤＭＩ信号に含まれるオーディ信号の出力先を設定する。設定される出力先は、ＨＤＭＩインターフェース５に接続された表示装置またはスピーカー接続部１１に接続されたスピーカーシステムである。出力先設定部１４は、図示しない操作表示部に設けられている。この操作表示部には、出力先設定部１４の他に信号出力装置１の電源をオンオフする電源ボタンや音量調整ボタン等の操作ボタン、信号出力装置１の動作状態を表示する表示部を備える。
【００２２】
電源管理部１５は、図示しない電源から信号出力装置１の各構成部に電力の供給を管理する。電源管理部１５は、上述した操作表示部から電源をオンする指示があると、信号出力装置１の各構成部に電力を供給する制御をし、信号出力装置１の電源をオンにする。一方、操作表示部から電源をオフにする指示があると、電源管理部１５は、制御部１２と入力検出部１３に電力を供給する制御をし、その他の構成部への電力の供給を停止する制御をし、信号出力装置１の電源をオフ（スタンバイ状態）にする。
【００２３】
次に、本実施例におけるオーディオ信号の出力先の設定について説明する。
ユーザは、信号出力装置１の電源がオフのときに入力されたＨＤＭＩ信号に含まれるオーディオ信号の出力先を出力先設定部１４を操作して予め設定する。出力先設定部１４により設定されるオーディオ信号の出力先は、表示装置またはスピーカーシステムである。
【００２４】
ＨＤＭＩ入力部３から入力されたＨＤＭＩ信号に含まれるオーディオ信号を信号出力装置１に接続されたマルチチャンネル対応のテレビ等の表示装置で再生する場合は、オーディオ信号の出力先を表示装置に設定する。また、ＨＤＭＩ入力部３から入力されたＨＤＭＩ信号に含まれるオーディオ信号を信号出力装置１に接続されたスピーカーシステムで再生する場合は、オーディオ信号の出力先をスピーカーシステムに設定する。
【００２５】
出力先設定部１４により、ＨＤＭＩ信号に含まれるオーディオ信号の出力先が表示装置に設定されると、制御部１２は、信号出力装置１の電源がオフのときにＨＤＭＩ入力部３から入力されたＨＤＭＩ信号がＨＤＭＩ受信部４からＨＤＭＩ送信部６に入力されるように制御する。また、出力先設定部１４により、ＨＤＭＩ信号に含まれるオーディオ信号の出力先がスピーカーシステムに設定されると、制御部１２は、信号出力装置１の電源がオフのときに、ＨＤＭＩ入力部３から入力されたＨＤＭＩ信号がＨＤＭＩ受信部４からデコード部８に入力されるように制御する。
【００２６】
図２は、本実施例の信号出力装置１における設定された出力先にＨＤＭＩ信号に含まれるオーディオ信号を出力する動作を説明するフローチャートである。
信号出力装置１の電源がオフでスタンバイ状態のとき、入力検出部１３がＨＤＭＩインターフェイス２にＨＤＭＩ信号の入力を検出すると（ステップＳ１）、制御部１２に検出信号を出力する。制御部１２は、入力検出部１３から検出信号が入力されると、出力先設定部１４により予め設定されたオーディオ信号の出力先が表示装置に設定されているか否かを判別する（ステップＳ２）。
【００２７】
オーディオ信号の出力先が表示装置に設定されている場合、入力されたＨＤＭＩ信号は、制御部１２の制御により、ＨＤＭＩ受信部４からＨＤＭＩ送信部６に入力される。そして、ＨＤＭＩ送信部６に入力されたＨＤＭＩ信号は、ＨＤＭＩ出力部７からＨＤＭＩケーブルを介して接続された表示装置に出力される（ステップＳ３）。
【００２８】
オーディオ信号の出力先がスピーカーシステムに設定されている場合、制御部１２は、スタンバイ状態から信号出力装置１の電源をオンにする制御をする（ステップＳ４）。電源管理部１５は、制御部１２からの制御により、信号出力装置１の各構成部に電力が供給され信号出力装置１が起動する。このとき、ＨＤＭＩ入力部３に入力されたＨＤＭＩ信号は、制御部１２の制御により、ＨＤＭＩ受信部４からデコード部８に入力される。
【００２９】
デコード部８は、入力されたＨＤＭＩ信号をデジタルオーディオ信号にデコードする信号処理をする（ステップＳ５）。デコードされたデジタルオーディオ信号は、ＤＡＣ９によりデジタルオーディオ信号に変換され増幅部１０で増幅された後、スピーカー接続部１１からスピーカーシステムに出力される（ステップＳ６）。
【００３０】
図２に示すフローチャートにおいて、出力先設定部１４によりオーディオ信号の出力先が設定されていない場合、ＨＤＭＩ入力部３に入力されたＨＤＭＩ信号は、表示装置とスピーカーシステムのどちらにも出力されない。
【００３１】
上述した本実施例の信号出力装置１において、出力先設定部１４は、信号出力装置１の電源がオフのときと同様に、信号出力装置１の電源がオンのときに入力されるＨＤＭＩ信号に含まれるオーディオ信号の出力先を予め設定することができる。信号出力装置１の電源がオンのときのオーディオ信号の出力先が設定されていると、信号出力装置１の電源がオンのときに入力されるＨＤＭＩ信号は、制御部１２の制御により、設定された出力先にＨＤＭＩ信号に含まれるオーディオ信号を出力することができる。
【００３２】
また、出力先設定部１４により電源がオフのときに入力されたＨＤＭＩ信号に含まれるオーディ信号の出力先を表示装置に設定した場合、本実施例の信号出力装置１は、電源がオフの状態のときでも、入力されたＨＤＭＩ信号に含まれるオーディオ信号を表示装置に出力する。このため、本実施例の信号出力装置１は、電源がオンにしなくても入力されたＨＤＭＩ信号を表示装置に出力するので、消費電力を低減させることができる。
【００３３】
以上説明したように、本実施例の信号出力装置１は、電源がオフのときに入力されたＨＤＭＩ信号に含まれるオーディオ信号の出力先を予め設定する。入力されたＨＤＭＩ信号は、出力先が表示装置に設定された場合、そのまま表示装置に出力される。そして、出力先がスピーカーシステムに設定された場合、信号出力装置１の電源がオンしデコード処理やアナログ信号に変換された後、スピーカーシステムに出力される。この構成によれば、信号出力装置１の電源がオフのときでも、入力されたＨＤＭＩ信号に含まれるオーディオ信号を予め設定された出力先に出力することができる。
【図面の簡単な説明】
【００３４】
【図１】本発明の一実施例である信号出力装置の構成を示すブロック図。
【図２】本実施例の信号出力装置１における設定された出力先にオーディオ信号を出力する動作を説明するフローチャート。
【図３】ＨＤＭＩインターフィスにより接続されたＡＶ機器を示す図。
【符号の説明】
【００３５】
１…信号出力装置、２…ＨＤＭＩインターフェイス、３…ＨＤＭＩ入力部、４…ＨＤＭＩ受信部、５…ＨＤＭＩインターフェイス、６…ＨＤＭＩ送信部、７…ＨＤＭＩ出力部、８…デコード部、９…ＤＡＣ１７、１０…増幅部、１１…スピーカー出力部、１２…制御部、１３…入力検出部、１４…出力先設定部、１５…電源管理部、１００…ＡＶアンプ、２００…ＤＶＤプレーヤ、３００…ＳＴＢ、４００…テレビ、５００…スピーカーシステム
【図１】
2008125030.tif 000003
【図２】
2008125030.tif 000004
【図３】
2008125030.tif 000005